(57)【要約】  ベース（１）を用意する工程と、建物の複数の壁を形成するために、各々が建物の壁を少なくとも部分的に形成する複数のパネル（２）を前記ベース（１）に接続する工程と、を具備し、複数のパネル（２）をベース（１）に接続する工程は、ベース（１）の複数のコーナのところに、それぞれ、複数のコーナパネル（５）を接続する予備工程を含むことを特徴とする、建物を建築する方法。
2011510197.tif 000002
【特許請求の範囲】
【請求項１】
ベース（１）を用意する工程と、
建物の複数の壁を形成するために、各々が建物の壁を少なくとも部分的に形成する複数のパネル（２）を前記ベース（１）に接続する工程と、を具備する、建物を建築する方法において、
前記複数のパネル（２）を前記ベース（１）に接続する工程は、前記ベース（１）の複数のコーナのところに、それぞれ、複数のコーナパネル（５）を接続する予備工程を含むことを特徴とする方法。
【請求項２】
前記複数のコーナパネル（５）を接続する工程は、互いに所定の角度をなすように設定され、一方の縁部（５ｃ）のところで互いに接続される少なくとも２つの部分（５ａ、５ｂ）を有する複数のパネルを使用する工程を含むことを特徴とする請求項１の方法。
【請求項３】
前記複数のコーナパネル（５）を接続する工程は、ほぼＬ形の横断面を有する複数のパネルを使用する工程を含むことを特徴とする請求項１又は２の方法。
【請求項４】
前記複数のパネル（２）を与える工程は、少なくとも１つのコーナパネル（５）に隣接している少なくとも１つのフラットパネル（６）を前記ベース（１）に接続する工程を含むことを特徴とする請求項１ないし３のいずれか１の方法。
【請求項５】
少なくとも１つの隣接しているコーナパネル（５）に各フラットパネル（６）を固定する工程を含むことを特徴とする請求項４の方法。
【請求項６】
前記少なくとも１つのフラットパネル（６）を与える工程は、各コーナパネル（５）を与えた後に実行されることを特徴とする請求項４又は５の方法。
【請求項７】
前記ベース（１）に前記複数のパネル（２）を接続するために、複数の接続部材（４）を与える工程をさらに具備し、
前記複数の接続部材（４）を与える工程は、前記複数のパネル（２）を与える工程の前に実行されることを特徴とする請求項４ないし６のいずれか１の方法。
【請求項８】
前記ベース（１）に前記複数のパネル（２）を接続するために、複数の接続部材（４）を与える工程をさらに具備し、
前記複数の接続部材（４）を与える工程は、前記複数のパネル（２）を与える工程の後に実行されることを特徴とする請求項４ないし６のいずれか１の方法。
【請求項９】
前記複数の接続部材（４）を与える工程は、これら接続部材が互いに所定の距離のところに離間されるようにして、前記ベース（１）に前記複数の接続部材（４）を固定する工程を含む請求項７又は８の方法。
【請求項１０】
前記ベース（１）の上に、前記壁の位置に対応しているマーキング（３）を与える工程をさらに具備し、
前記マーキング（３）を与える工程は、複数の接続部材（４）を与える工程の前に実行される請求項７ないし９のいずれか１の方法。
【請求項１１】
前記複数の接続部材（４）を与える工程は、前記マーキング（３）に沿って前記接続部材（４）を固定する工程を含むことを特徴とする請求項１０の方法。
【発明の詳細な説明】
【技術分野】
【０００１】
本発明は、建物を建築する方法に関する。
【０００２】
特に、本発明は、好ましくは木材でできた組立式の建物の建築に適用される。
【０００３】
しかし、本発明はまた、マルチレイヤパネルのような、コンクリート又は他の素材でできたパネルである異なる素材でできた組立式の建物の建築にも適用されることができる。
【背景技術】
【０００４】
建物、特に、木造建築物を建築する従来技術の方法は、壁を形成するように、建物の床を形成しているベースに複数のフラットパネルを接続する工程を含む。
【０００５】
これらパネルは、建物を組み立てるのに必要とされるドア及び窓、床のスロープ、ジョイント及びノッチのために使用される開口を有するようにして、切断され、成形されることができる。
【０００６】
組立式の建物は、上にベースが置かれる通常の基礎から始めて建築される。
【０００７】
複数のパネルは、建物の壁を形成するために、ベースに接続される。適切な固定手段が、複数のパネルの間、及び各パネルとベースとの間の安定した接続を与える。
【０００８】
外壁を形成する複数のパネルの組立が、また、あれば、内部の間仕切壁がいったん完成すると、他の水平なパネルが、建物の天井を形成するために、所定の位置に配置される。
【０００９】
後者が存在するならば、前記天井は、建物の付加的な階の床を形成するためのベースとしての役割を果すことが気付かれるであろう。
【００１０】
好ましくないことに、先行技術の方法による建物の建築では、フラットパネルは、これらフラットパネルをベースに接続する工程の間、効果的に支持されなければならない。
【００１１】
第１のパネルがベースにいったん接続されると、第２のパネルが第１のパネルに隣接して組み立てられることができるように、前記パネルが支持されることが絶対に必要不可欠である。
【００１２】
それ故、先行技術の方法は、足場、支柱又は他の設備のような適切な支持構造体を用意するさらなる工程を含む。
【００１３】
前記欠点を少なくとも部分的に克服するために、建築される壁とほぼ寸法が合った複数のパネルがしばしば使用される。このようにして、単一のパネルが、構造を支持する必要を減らすように扱われる。
【００１４】
しかし、フラットパネルを接続する工程中、後者が安定して配置されていないので、このような先行技術の建築方法は、必然的に、建物の建築を担当しているオペレータの安全の問題を含んでいることが気付かれるであろう。
【発明の概要】
【００１５】
本内容において、本発明の技術的目的は、上述の欠点のない、建物を建築する方法を提案することである。
【００１６】
特に、本発明は、所定の目的のために、容易に、かつ迅速に実行されることができる、建物を建築する方法を提案しなければならない。
【００１７】
本発明のさらなるの目的は、その実行において、高いレベルの安全性によって識別される、建物を建築する方法を提案することである。
【００１８】
述べられた技術的な目的及び挙げられた目的は、特許請求の範囲の少なくとも１つでここに規定される、建物を建築する方法によって、実質的に達成される。
【００１９】
本発明のさらなる特徴並びに効果は、建物を建築するための方法の、好ましく、限定的でない実施の形態を参照して、以下の詳細な説明でより明らかになる。図１ないし図５は、本発明に従って建物を建築する方法のそれぞれのかつ連続した動作工程を示している。
【図面の簡単な説明】
【００２０】
【図１】図１は、建物を建築する方法の動作工程の１つを示す図である。
【図２】図２は、建物を建築する方法の動作工程の１つを示す図である。
【図３】図３は、建物を建築する方法の動作工程の１つを示す図である。
【図４】図４は、建物を建築する方法の動作工程の１つを示す図である。
【図５】図５は、建物を建築する方法の動作工程の１つを示す図である。
【発明を実施するための形態】
【００２１】
以下の説明は、木造建築物を参照している。しかし、本発明はまた、一例として、コンクリートでできた複数のパネル、マルチレイヤパネルなどのような他の素材で作られる建物に関して適用されることができることが気付かれるであろう。
【００２２】
本発明による建物を建築する方法は、まず、建物の床を形成するベース１を用意する工程を含む。
【００２３】
ベース１は、既知のやり方で作られた建物の基礎構造体に押し込められる（図１）。
【００２４】
ベース１がいったん用意されると、建物の複数の壁を形成するために、複数のパネル２が、ベース１に対して直角で（垂直に）接続される。特に、各パネル２は、建物の壁のうちの１つを、少なくとも部分的に形成する。これら壁は、支持壁と、建物の内部に空間を作るための間仕切壁との少なくとも一方であることができることが気付かれるであろう。
【００２５】
これらパネル２の適用の前に、壁の意図した位置に対応しているマーキング３が、ベース１上に与えられる（図１）。
【００２６】
ベース１がマーキングされた後、本方法は、各パネル２をベース１に安定して接続するために、複数の接続部材４を与える工程を含む。
【００２７】
特に、これら接続部材４は、既知のタイプの、図示されない適切なアンカー部材を使用して、マーキング３に沿ってベース１に固定される。
【００２８】
より詳細には、これら接続部材４は、これら接続部材が互いに所定の距離だけ離間されるようにして、ベース１に固定される（図２）。後者は、建物に要求される静的並びに動的な性能に従って、建物の設計工程で決定される。
【００２９】
説明される実施の形態では、これら接続部材４を固定する工程は、パネル２をベース１に接続する工程の前に実行される。
【００３０】
この場合には、これらパネル２は、各パネル２を、ベース１に既に安定して固定された接続部材４に接続することによって、ベース１に接続される。
【００３１】
特に、各パネル２は、パネル２のベースのところに形成されたキャビティ（図示されない）を有する。各パネル２は、後者がキャビティ内に収容されるようにして、対応した接続部材４へと下ろされる。
【００３２】
最終的に、適切な固定手段（図示されない）が、各パネル２と相対的な接続部材４との間に接続される。
【００３３】
図示しない一実施の形態では、これら接続部材４は、パネル２の適用の後に固定される。
【００３４】
前記の場合には、パネル２は、ベース１の上に置かれて、上述の接続部材４の適用によってベース１に固定される。例えば、前記の場合には、接続部材４は、Ｌ形状の金属部材、ブラケット又は他の部材であることができる。
【００３５】
パネル２をベース１に接続する工程中、複数のコーナパネル５が、対応した複数のベース１のコーナのところで、第１の工程として、ベース１に接続される（図３並びに図４）。
【００３６】
前記コーナパネル５は、一縁部５ｃのところで互いに接続された２つの部分５ａ、５ｂを有する。これら２つの部分は、コーナパネル５によって占められたベース１の角度と等しいコーナを形成するようにして、互いに所定の角度をなすように設定されている。
【００３７】
説明される実施の形態では、各コーナパネル５は、ほぼＬ形の横断面を有し、各コーナパネルの部分５ａ、５ｂは、互いにほぼ等しい。
【００３８】
代わりの実施の形態では、コーナパネル５の横断面は、このコーナパネルが装着されるべきである位置に依存したさまざまな形状を有する。例えば、コーナパネル５は、ほぼＴ形の横断面を有することができる。
【００３９】
コーナパネル５の接続に続いて、少なくとも１つのフラットパネル６が、２つの連続したコーナパネル５の間に接続される。
【００４０】
２つの連続したコーナパネル５を隔てている距離に依存して、単一のフラットパネル６が接続されるか、複数のフラットパネル６が所定の位置に配置される（図５）。
【００４１】
言い換えれば、コーナパネル５は、単に、壁の一部のみを形成するのみであり、それ故、壁は、フラットパネル６によって完成される。
【００４２】
全てのコーナパネル５がベース１に接続された後、フラットパネル６がベース１に接続されることが強調されなければならない。フラットパネル６は、前記工程の後にのみ、適所に配置される。
【００４３】
ベース１にいったん接続されると、各フラットパネル６はまた、フラットパネルに隣接している対応したコーナパネル５に固定される。
【００４４】
この目的のために、コーナパネル５とフラットパネル６との両方が、これらの接続を容易にするために、互いに適合するようにそれぞれ成形された側面形状７を有する。
【００４５】
特に、各パネル２の側面形状７は、実際には、隣接したパネル２でできた対応している接触面と接触するパネル２の全高さに沿って延びた延出部を有する。
【００４６】
これらパネル２は、例えば、タッピンねじである既知の手段を使用して、互いに固定される。
【００４７】
全てのパネル２が、側壁を、必要であれば内部の間仕切壁を形成するためにベースに接続されて固定されたとき、カバー（添付図面には示されない）が、これらパネル２の上に置かれ、これらパネル２に安定して固定される。
【００４８】
例えば、前記カバーは、建物の屋根を有する。
【００４９】
代わって、このカバーは、建物の上階の床を形成する付加的なベースを有する。
【００５０】
前記付加的なベースに関して、上階にさらなる壁を構築するために、説明された方法を繰り返すことが可能である。
【００５１】
前記方法は、効果的には、所定の階数の建物を建築するために適用される。
【００５２】
説明される実施の形態では、パネル２は、木材でできている。より詳細には、パネル２は、互いに垂直な互い違いの配向で、木材でできた近接している連続した複数の層を引き延ばすことによってできている。かくして、所望の機械的特性を与える。必要であれば、フラットパネル６は、ドアと窓との少なくとも一方のためのそれぞれのスペースを形成する開口８を有する。
【００５３】
本発明は、当初の目的を達成し、重要な効果をもたらす。
【００５４】
コーナパネルが互いに所定の角度をなすように設定された２つの部分を有するので、コーナパネルは、ベースにいったん接続されると、適切な支持構造体の助けなしでさえも、これらの位置を安定して維持することができる。
【００５５】
前記の場合には、各フラットパネルが、隣接しているコーナパネルに安定して直接接続されることができるので、フラットパネルの連続した接続が、かなり簡便になる。
【００５６】
それ故、フラットパネルを装着するときでさえも、特別の支持構造体を使用する必要がない。
【００５７】
フラットパネルの接続のかなりの簡便性が与えられれば、後者は、効果的には、より小さくなり、モジュール式に装着されることができる。
【００５８】
フラットパネルをより小さくすることはまた、現場で利用可能なスペースの管理に関する効果と共に、これらフラットパネルがより容易に扱われることを可能にする。
【００５９】
最終的に、パネルが安定したやり方で順次装着されるので、建物の建築を担当しているオペレータの安全性もまた、明らかに改良される。
【図１】
2011510197.tif 000003
【図２】
2011510197.tif 000004
【図３】
2011510197.tif 000005
【図４】
2011510197.tif 000006
【図５】
2011510197.tif 000007
【手続補正書】
【提出日】平成22年10月15日(2010.10.15)
【手続補正１】
【補正対象書類名】特許請求の範囲
【補正対象項目名】全文
【補正方法】変更
【補正の内容】
【特許請求の範囲】
【請求項１】
ベース（１）を用意する工程と、
建物の複数の壁を形成するために、各々が建物の壁を少なくとも部分的に形成する複数のパネル（２）を前記ベース（１）に接続する工程と、を具備し、
前記複数のパネル（２）を前記ベース（１）に接続する工程は、前記ベース（１）の複数のコーナのところに、それぞれ、複数のコーナパネル（５）を接続する予備工程を含み、
前記コーナパネル（５）は、互いに所定の角度をなすように設定され、一縁部（５ｃ）のところで互いに接続される少なくとも２つの部分（５ａ，５ｂ）を有し、また、
前記ベース（１）の上に、前記壁の位置に対応しているマーキング（３）を与える工程を具備する、建物を構築する方法において、
前記ベース（１）に前記複数のパネル（２）を接続するために、複数の接続部材（４）を与える工程をさらに具備し、
前記複数の接続部材（４）は、これら接続部材が、互いに所定の距離のところに離間されるようにして、前記マーキング（３）に沿って、前記ベース（１）に固定されることを特徴とする方法。
【請求項２】
前記複数のコーナパネル（５）を接続する工程は、ほぼＬ形の横断面を有する複数のパネルを使用する工程を含むことを特徴とする請求項１の方法。
【請求項３】
前記複数のパネル（２）を与える工程は、少なくとも１つのコーナパネル（５）に隣接している少なくとも１つのフラットパネル（６）を前記ベース（１）に接続する工程を含むことを特徴とする請求項１又は２の方法。
【請求項４】
少なくとも１つの隣接しているコーナパネル（５）に各フラットパネル（６）を固定する工程を含むことを特徴とする請求項３の方法。
【請求項５】
前記少なくとも１つのフラットパネル（６）を与える工程は、各コーナパネル（５）を与えた後に実行されることを特徴とする請求項３又は４の方法。
【請求項６】
前記複数の接続部材（４）を与える工程は、前記複数のパネル（２）を与える工程の前に実行されることを特徴とする請求項３ないし５のいずれか１の方法。
【請求項７】
前記複数の接続部材（４）を与える工程は、前記複数のパネル（２）を与える工程の後に実行されることを特徴とする請求項３ないし５のいずれか１の方法。
【請求項８】
前記マーキング（３）を与える工程は、複数の接続部材（４）を与える工程の前に実行される請求項６又は７の方法。
【手続補正２】
【補正対象書類名】明細書
【補正対象項目名】００５９
【補正方法】変更
【補正の内容】
【００５９】
最終的に、パネルが安定したやり方で順次装着されるので、建物の建築を担当しているオペレータの安全性もまた、明らかに改良される。
以下に、本願の出願当初の特許請求の範囲に記載された発明を付記する。
［１］ベース（１）を用意する工程と、建物の複数の壁を形成するために、各々が建物の壁を少なくとも部分的に形成する複数のパネル（２）を前記ベース（１）に接続する工程と、を具備する、建物を建築する方法において、前記複数のパネル（２）を前記ベース（１）に接続する工程は、前記ベース（１）の複数のコーナのところに、それぞれ、複数のコーナパネル（５）を接続する予備工程を含むことを特徴とする方法。
［２］前記複数のコーナパネル（５）を接続する工程は、互いに所定の角度をなすように設定され、一縁部（５ｃ）のところで互いに接続される少なくとも２つの部分（５ａ、５ｂ）を有する複数のパネルを使用する工程を含むことを特徴とする［１］の方法。
［３］前記複数のコーナパネル（５）を接続する工程は、ほぼＬ形の横断面を有する複数のパネルを使用する工程を含むことを特徴とする［１］又は［２］の方法。
［４］前記複数のパネル（２）を与える工程は、少なくとも１つのコーナパネル（５）に隣接している少なくとも１つのフラットパネル（６）を前記ベース（１）に接続する工程を含むことを特徴とする［１］ないし［３］のいずれか１の方法。
［５］少なくとも１つの隣接しているコーナパネル（５）に各フラットパネル（６）を固定する工程を含むことを特徴とする［４］の方法。
［６］前記少なくとも１つのフラットパネル（６）を与える工程は、各コーナパネル（５）を与えた後に実行されることを特徴とする［４］又は［５］の方法。
［７］前記ベース（１）に前記複数のパネル（２）を接続するために、複数の接続部材（４）を与える工程をさらに具備し、前記複数の接続部材（４）を与える工程は、前記複数のパネル（２）を与える工程の前に実行されることを特徴とする［４］ないし［６］のいずれか１の方法。
［８］前記ベース（１）に前記複数のパネル（２）を接続するために、複数の接続部材（４）を与える工程をさらに具備し、前記複数の接続部材（４）を与える工程は、前記複数のパネル（２）を与える工程の後に実行されることを特徴とする［４］ないし［６］のいずれか１の方法。
［９］前記複数の接続部材（４）を与える工程は、これら接続部材が互いに所定の距離のところに離間されるようにして、前記ベース（１）に前記複数の接続部材（４）を固定する工程を含む［７］又は［８］の方法。
［１０］前記ベース（１）の上に、前記壁の位置に対応しているマーキング（３）を与える工程をさらに具備し、このマーキング（３）を与える工程は、複数の接続部材（４）を与える工程の前に実行される［７］ないし［９］のいずれか１の方法。
［１１］前記複数の接続部材（４）を与える工程は、前記マーキング（３）に沿って前記接続部材（４）を固定する工程を含むことを特徴とする［１１］の方法。
【国際調査報告】
2011510197.tif 000008
2011510197.tif 000009